(57)【要約】【課題】ＣＡをサポートする移動局ＵＥに対して適切なバッファ破棄閾値を設定する。【解決手段】本発明に係る無線基地局ｅＮＢは、移動局ＵＥのバッファ破棄閾値を管理するように構成されているバッファ管理部１２を具備しており、バッファ管理部１２は、バッファリングされている移動局ＵＥ宛ての下りリンクデータから、バッファ破棄閾値を超過したデータ量の移動局ＵＥ宛ての下りリンクデータを破棄するように構成されており、バッファ管理部１２は、移動局ＵＥに対してＣＡが設定されているか否かに基づいて、移動局ＵＥのバッファ破棄閾値を変更するように構成されている。【選択図】図６
2014216908.tif 000002
【特許請求の範囲】
【請求項１】
無線基地局であって、
移動局のバッファ破棄閾値を管理するように構成されているバッファ管理部を具備しており、
前記バッファ管理部は、バッファリングされている前記移動局宛ての下りリンクデータから、前記バッファ破棄閾値を超過したデータ量の該移動局宛ての下りリンクデータを破棄するように構成されており、
前記バッファ管理部は、前記移動局に対してキャリアアグリゲーションが設定されているか否かに基づいて、該移動局のバッファ破棄閾値を変更するように構成されていることを特徴とする無線基地局。
【請求項２】
前記バッファ管理部は、前記移動局に対するキャリアアグリゲーションが開始される場合、該移動局のバッファ破棄閾値を大きくするように構成されていることを特徴とする請求項１に記載の無線基地局。
【請求項３】
前記バッファ管理部は、前記移動局に対するキャリアアグリゲーションが終了する場合、所定データ量の該移動局宛ての下りリンクデータを破棄し、所定期間が経過した後に、該移動局のバッファ破棄閾値を小さくするように構成されていることを特徴とする請求項１又は２に記載の無線基地局。
【請求項４】
前記バッファ管理部は、前記所定期間が経過する前に、前記移動局に対するキャリアアグリゲーションが再度開始される場合、該移動局のバッファ破棄閾値を小さくしないように構成されていることを特徴とする請求項３に記載の無線基地局。
【請求項５】
前記所定データ量及び前記所定期間の少なくとも一方は、前記移動局に対するキャリアアグリゲーションが行われている場合の想定データレートと該移動局に対するキャリアアグリゲーションが終了した後の想定データレートとの差分に基づいて設定されるように構成されていることを特徴とする請求項３又は４に記載の無線基地局。
【請求項６】
無線基地局であって、
移動局のバッファ破棄閾値を管理するように構成されているバッファ管理部を具備しており、
前記バッファ管理部は、バッファリングされている前記移動局宛ての下りリンクデータから、前記バッファ破棄閾値を超過したデータ量の該移動局宛ての下りリンクデータを破棄するように構成されており、
前記バッファ管理部は、前記移動局に対して設定されているキャリアアグリゲーションにおいて用いられるコンポーネントキャリアの数が減少される場合に、所定データ量の該移動局宛ての下りリンクデータを破棄し、所定期間が経過した後に、該移動局のバッファ破棄閾値を小さくするように構成されていることを特徴とする無線基地局。
【請求項７】
無線基地局であって、
移動局のバッファ破棄閾値を管理するように構成されているバッファ管理部を具備しており、
前記バッファ管理部は、バッファリングされている前記移動局宛ての下りリンクデータから、前記バッファ破棄閾値を超過したデータ量の該移動局宛ての下りリンクデータを破棄するように構成されており、
前記バッファ管理部は、前記移動局によって行われているＭＩＭＯにおいて用いられるレイヤの数が減少される場合に、所定データ量の該移動局宛ての下りリンクデータを破棄し、所定期間が経過した後に、該移動局のバッファ破棄閾値を小さくするように構成されていることを特徴とする無線基地局。
【請求項８】
無線基地局であって、
移動局のバッファ破棄閾値を管理するように構成されているバッファ管理部を具備しており、
前記バッファ管理部は、バッファリングされている前記移動局宛ての下りリンクデータから、前記バッファ破棄閾値を超過したデータ量の該移動局宛ての下りリンクデータを破棄するように構成されており、
前記バッファ管理部は、前記移動局における無線品質が劣化した場合に、所定データ量の該移動局宛ての下りリンクデータを破棄し、所定期間が経過した後に、該移動局のバッファ破棄閾値を小さくするように構成されていることを特徴とする無線基地局。
【発明の詳細な説明】
【技術分野】
【０００１】
本発明は、無線基地局に関する。
【背景技術】
【０００２】
一般的に、無線基地局ｅＮＢにおいて、リソースの分割損を低減するために、無線基地局ｅＮＢに接続している複数の移動局ＵＥで下りリンク用バッファを共有する制御が採用されている。
【０００３】
一方で、複数の移動局ＵＥで下りリンク用バッファを共有する場合、図７（ａ）に示すように、特定の移動局ＵＥ＃１宛ての下りリンクデータばかりが滞留し、それ以外の移動局ＵＥ＃２宛ての下りリンクデータを破棄し、正常にサービスを提供することができない可能性があるという問題点があった（ＤｏＳ攻撃）。
【０００４】
かかる問題点を解消する方法として、例えば、図７（ｂ）に示すように、移動局ＵＥ＃１/ＵＥ＃２ごとに、バッファリング可能な下りリンクデータの量を規定するバッファ破棄閾値（図７（ｂ）の例では、移動局ＵＥ＃１に対して「３」）を設定し、バッファ破棄閾値を超過した移動局ＵＥ＃１宛ての下りリンクデータを優先的に破棄することで、特定の移動局ＵＥ宛ての下りリンクデータのみを過剰に滞留させないという制御が想定される。
【０００５】
かかるバッファ破棄閾値は、移動局ＵＥにおいて実現可能なデータレートに応じて設定されることが好ましい。
【０００６】
ＬＴＥ（Ｌｏｎｇ  Ｔｅｒｍ  Ｅｖｏｌｕｔｉｏｎ）方式では、最大帯域幅２０ＭＨｚをサポートすることができる。
【０００７】
しかしながら、「ｂａｃｋｗａｒｄ  ｃｏｍｐａｔｉｂｉｌｉｔｙ」を保ちつつ２０ＭＨｚ以上よりも広い帯域を用いた通信を行うケースや、周波数を連続的に確保することができないケース等には、複数の帯域をアグリゲートして広帯域通信を行う必要がある。
【０００８】
したがって、ＬＴＥ-Ａｄｖａｎｃｅｄ方式では、複数のＣＣ（Ｃｏｍｐｏｎｅｔ  Ｃａｒｒｉｅｒ：コンポーネントキャリア）を用いたＣＡ（Ｃａｒｒｉｅｒ  Ａｇｇｒｅｇａｔｉｏｎ：キャリアアグリゲーション）を行うことができる。
【０００９】
ここで、ＣＡを行う移動局ＵＥに対しては、接続性を担保する信頼性の高いセルであるＰｃｅｌｌ（Ｐｒｉｍａｒｙ  ｃｅｌｌ）及び付随的なセルであるＳｃｅｌｌ（Ｓｅｃｏｎｄａｒｙ  ｃｅｌｌ）を設定する。
【００１０】
移動局ＵＥは、まずは、Ｐｃｅｌｌに接続し、必要に応じて、Ｓｃｅｌｌを追加することができる。
【００１１】
Ｐｃｅｌｌは、ＬＴＥ方式で用いられていたセルと同様に、ＲＬＭ（Ｒａｄｉｏ  Ｌｉｎｋ  Ｍｏｎｉｔｏｒｉｎｇ）やＳＰＳ（Ｓｅｍｉ-Ｐｅｒｓｉｓｉｔｅｎｔ  Ｓｃｈｅｄｕｌｉｎｇ）等をサポートするセルである。
【００１２】
また、Ｐｃｅｌｌは、移動局ＵＥとネットワークとの間の接続性を担保するセルである。
【００１３】
移動局ＵＥが、Ｐｃｅｌｌを変更する場合には、ハンドオーバ処理が行われる必要がある。
【００１４】
また、Ｓｃｅｌｌは、Ｐｃｅｌｌに追加されて移動局ＵＥに設定されるセルである。Ｓｃｅｌｌの追加や削除は、ＲＲＣ（Ｒａｄｉｏ  Ｒｅｓｏｕｒｃｅ  Ｃｏｎｔｒｏｌ）レイヤの「ｃｏｎｆｉｇｕｒａｔｉｏｎ」にて行われる。
【００１５】
また、Ｓｃｅｌｌは、ＲＲＣレイヤの「ｃｏｎｆｉｇｕｒａｔｉｏｎ」によって移動局ＵＥに設定された直後は、「ｄｅａｃｔｉｖｅ状態」であるため、ＭＡＣ（Ｍｅｄｉａ  Ａｃｃｅｓｓ  Ｃｏｎｔｒｏｌ）レイヤでアクティブ化することで初めて通信可能な状態（スケジューリング可能な状態）になる。
【先行技術文献】
【非特許文献】
【００１６】
【非特許文献１】３ＧＰＰ  ＴＳ３６.３００
【発明の概要】
【発明が解決しようとする課題】
【００１７】
ＬＴＥ-Ｒｅｌｅａｓｅ８/９方式では、基本的に、移動局ＵＥの能力（実現可能なデータレート/ピークデータレート）は、「ＵＥ  ｃａｔｅｇｏｒｙ」によって規定されており、バッファ破棄閾値は、各「ＵＥ  ｃａｔｅｇｏｒｙ」における実現可能なデータレートに対して静的に設定しておけばよかった。
【００１８】
しかしながら、ＣＡをサポートする移動局ＵＥでは、Ｓｃｅｌｌを用いて通信を行っている状態であるか否か（すなわち、ＣＡを行っている状態であるか否か）によって実現可能なデータレートが動的に変化する。
【００１９】
その結果、ＣＡを行っている状態を想定したデータレートでバッファ破棄閾値を静的に設定すると、ＣＡを行っていない状態の移動局ＵＥに対して過剰にバッファを確保してしまうという問題点があった。
【００２０】
また、ＣＡを行っていない状態を想定したデータレートでバッファ破棄閾値を静的に設定すると、ＣＡを行っている状態の移動局ＵＥに対して充分なバッファが割り当てられず、高いデータレートを実現することができないという問題点があった。
【００２１】
そこで、本発明は、上述の課題に鑑みてなされたものであり、ＣＡをサポートする移動局ＵＥに対して適切なバッファ破棄閾値を設定することができる無線基地局を提供することを目的とする。
【課題を解決するための手段】
【００２２】
本発明の第１の特徴は、無線基地局であって、移動局のバッファ破棄閾値を管理するように構成されているバッファ管理部を具備しており、前記バッファ管理部は、バッファリングされている前記移動局宛ての下りリンクデータから、前記バッファ破棄閾値を超過したデータ量の該移動局宛ての下りリンクデータを破棄するように構成されており、前記バッファ管理部は、前記移動局に対してキャリアアグリゲーションが設定されているか否かに基づいて、該移動局のバッファ破棄閾値を変更するように構成されていることを要旨とする。
【００２３】
本発明の第２の特徴は、無線基地局であって、移動局のバッファ破棄閾値を管理するように構成されているバッファ管理部を具備しており、前記バッファ管理部は、バッファリングされている前記移動局宛ての下りリンクデータから、前記バッファ破棄閾値を超過したデータ量の該移動局宛ての下りリンクデータを破棄するように構成されており、前記バッファ管理部は、前記移動局に対して設定されているキャリアアグリゲーションにおいて用いられるコンポーネントキャリアの数が減少される場合に、所定データ量の該移動局宛ての下りリンクデータを破棄し、所定期間が経過した後に、該移動局のバッファ破棄閾値を小さくするように構成されていることを要旨とする。
【００２４】
本発明の第３の特徴は、無線基地局であって、移動局のバッファ破棄閾値を管理するように構成されているバッファ管理部を具備しており、前記バッファ管理部は、バッファリングされている前記移動局宛ての下りリンクデータから、前記バッファ破棄閾値を超過したデータ量の該移動局宛ての下りリンクデータを破棄するように構成されており、前記バッファ管理部は、前記移動局によって行われているＭＩＭＯにおいて用いられるレイヤの数が減少される場合に、所定データ量の該移動局宛ての下りリンクデータを破棄し、所定期間が経過した後に、該移動局のバッファ破棄閾値を小さくするように構成されていることを要旨とする。
【００２５】
本発明の第４の特徴は、無線基地局であって、移動局のバッファ破棄閾値を管理するように構成されているバッファ管理部を具備しており、前記バッファ管理部は、バッファリングされている前記移動局宛ての下りリンクデータから、前記バッファ破棄閾値を超過したデータ量の該移動局宛ての下りリンクデータを破棄するように構成されており、前記バッファ管理部は、前記移動局における無線品質が劣化した場合に、所定データ量の該移動局宛ての下りリンクデータを破棄し、所定期間が経過した後に、該移動局のバッファ破棄閾値を小さくするように構成されていることを要旨とする。
【発明の効果】
【００２６】
以上説明したように、本発明によれば、ＣＡをサポートする移動局ＵＥに対して適切なバッファ破棄閾値を設定することができる無線基地局を提供することができる。
【図面の簡単な説明】
【００２７】
【図１】本発明の第１の実施形態に係る移動通信システムの全体構成図である。
【図２】本発明の第１の実施形態に係る無線基地局ｅＮＢの機能ブロック図である。
【図３】本発明の第１の実施形態に係る無線基地局ｅＮＢによってバッファ破棄閾値が変更される様子の一例を示す図である。
【図４】本発明の第１の実施形態に係る無線基地局ｅＮＢによってバッファ破棄閾値が変更される様子の一例を示す図である。
【図５】本発明の第１の実施形態に係る無線基地局ｅＮＢによってバッファ破棄閾値が変更される様子の一例を示す図である。
【図６】本発明の第１の実施形態に係る無線基地局ｅＮＢの動作を示すフローチャートである。
【図７】従来技術を説明するための図である。
【発明を実施するための形態】
【００２８】
（本発明の第１の実施形態に係る移動通信システム）
図１乃至図６を参照して、本発明の第１の実施形態に係る移動通信システムについて説明する。
【００２９】
図１に示すように、本実施形態に係る移動通信システムは、ＬＴＥ-Ａｄｖａｎｃｅ方式をサポートしており、セル＃１及びセル＃２を管理する無線基地局ｅＮＢを具備している。
【００３０】
また、移動局ＵＥは、ＬＴＥ-Ａｄｖａｎｃｅ方式をサポートしており、すなわち、ＣＡをサポートしており、セル＃１及びセル＃１をＰｃｅｌｌ及びＳｃｅｌｌに設定してＣＡを行うことができるように構成されている。
【００３１】
図２に示すように、本実施形態に係る無線基地局ｅＮＢは、ＣＡ管理部１１と、バッファ管理部１２と、タイマ管理部１３と、送信部１４と、受信部１５とを具備している。
【００３２】
ＣＡ管理部１１は、各移動局ＵＥがＣＡを行っている状態であるか或いはＣＡを行っていない状態であるかについて管理するように構成されている。
【００３３】
バッファ管理部１２は、各移動局ＵＥのバッファ破棄閾値を管理するように構成されている。
【００３４】
具体的には、バッファ管理部１２は、レイヤ２バッファにバッファリングされている移動局ＵＥ宛ての下りリンクデータから、かかる移動局ＵＥに対して設定されているバッファ破棄閾値を超過したデータ量の移動局ＵＥ宛ての下りリンクデータを破棄するように構成されている。
【００３５】
タイマ管理部１３は、各移動局ＵＥの「ＴｉｍｅｒＴＨｓｈｉｆｔ_ｄｉｓｃａｒｄ」を管理するように構成されている。
【００３６】
送信部１４は、各移動局ＵＥに対して各種信号を送信するように構成されており、受信部１５は、各移動局ＵＥから各種信号を受信するように構成されている。
【００３７】
ここで、バッファ管理部１２は、ＣＡ管理部１１と協働して、移動局ＵＥに対してＣＡが設定されているか否か（すなわち、移動局ＵＥがＣＡを行っているか否か）に基づいて、移動局ＵＥのバッファ破棄閾値を変更するように構成されている。
【００３８】
ここで、「ＣＡが設定されている状態」は、「Ｓｃｅｌｌが追加されている状態」であってもよいし、「Ｓｃｅｌｌがアクティブ化されている状態」であってもよい。
【００３９】
図３に示すように、バッファ管理部１２は、移動局ＵＥに対するＣＡが開始される場合、移動局ＵＥのバッファ破棄閾値を大きくするように構成されていてもよい。
【００４０】
すなわち、バッファ管理部１２は、移動局ＵＥに対してＳｃｅｌｌが追加された場合、或いは、移動局ＵＥに対して設定されているＳｃｅｌｌがアクティブ化された場合に、移動局ＵＥのバッファ破棄閾値を大きくするように構成されていてもよい。
【００４１】
一方、移動局ＵＥに対するＣＡが終了する場合、バッファ管理部１２が、移動局ＵＥのバッファ破棄閾値を単純に小さくすると、図４に示すように、移動局ＵＥのバッファ破棄閾値を超過する移動局ＵＥ宛ての下りリンクデータが発生し、かかる移動局ＵＥ宛ての下りリンクデータが破棄されてしまうことが想定される。
【００４２】
ここで、無線基地局ｅＮＢに到達している移動局ＵＥ宛ての下りリンクデータは、コアネットワークで既に課金されているケースが多いため、大量に破棄されることは望ましくない。
【００４３】
したがって、バッファ管理部１２は、移動局ＵＥに対するＣＡが終了する場合、上述のような移動局ＵＥ宛ての下りリンクデータの破棄をできるだけ避けるために、所定期間は、移動局ＵＥのバッファ破棄閾値を変更しないように構成されている。
【００４４】
具体的には、バッファ管理部１２は、移動局ＵＥに対するＣＡが終了する場合、所定データ量の移動局ＵＥ宛ての下りリンクデータ（例えば、古いものから順番にＮ個の移動局ＵＥ宛ての下りリンクデータ）を破棄するように構成されていてもよい。その結果、上位レイヤ（例えば、ＴＣＰレイヤ）から追加のデータが到来することを回避することができる。
【００４５】
そして、バッファ管理部１２は、所定期間が経過した後に、移動局ＵＥのバッファ破棄閾値を小さくするように構成されていてもよい。
【００４６】
すなわち、バッファ管理部１２は、移動局ＵＥに対して設定されていたＳｃｅｌｌが削除された場合、或いは、移動局ＵＥに対して設定されているＳｃｅｌｌが非アクティブ化された場合に、所定データ量の移動局ＵＥ宛ての下りリンクデータを破棄し、所定期間が経過した後に、移動局ＵＥのバッファ破棄閾値を小さくするように構成されていてもよい。
【００４７】
より具体的には、バッファ管理部１２は、移動局ＵＥに対するＣＡが終了する場合、タイマ管理部１３によって管理されている移動局ＵＥの「ＴｉｍｅｒＴＨｓｈｉｆｔ_ｄｉｓｃａｒｄ」を起動し、移動局ＵＥ宛ての下りリンクデータのうち、古いものから順番にＮ個の移動局ＵＥ宛ての下りリンクデータ）を破棄するように構成されている。
【００４８】
そして、バッファ管理部１２は、移動局ＵＥの「ＴｉｍｅｒＴＨｓｈｉｆｔ_ｄｉｓｃａｒｄ」が満了した場合に、移動局ＵＥのバッファ破棄閾値を小さくするように構成されている。
【００４９】
なお、バッファ管理部１２は、かかる所定期間が経過する前に、すなわち、移動局ＵＥの「ＴｉｍｅｒＴＨｓｈｉｆｔ_ｄｉｓｃａｒｄ」が起動している間に、移動局ＵＥに対するＣＡが再度開始される場合、移動局ＵＥの「ＴｉｍｅｒＴＨｓｈｉｆｔ_ｄｉｓｃａｒｄ」を停止するように構成されていてもよい、すなわち、移動局ＵＥのバッファ破棄閾値を小さくしないように構成されていてもよい。
【００５０】
ここで、所定データ量（「Ｎ」）及び所定期間（「ＴｉｍｅｒＴＨｓｈｉｆｔ_ｄｉｓｃａｒｄ」）の少なくとも一方は、移動局ＵＥに対するＣＡが行われている場合の想定データレートと移動局ＵＥに対するＣＡが終了した後の想定データレートとの差分に基づいて設定されるように構成されていてもよい。
【００５１】
例えば、上述の差分が、０〜１０Ｍｂｐｓである場合、所定データ量（「Ｎ」）又は所定期間（「ＴｉｍｅｒＴＨｓｈｉｆｔ_ｄｉｓｃａｒｄ」）は、「Ａ」に設定され、上述の差分が、１１〜２０Ｍｂｐｓである場合、所定データ量（「Ｎ」）又は所定期間（「ＴｉｍｅｒＴＨｓｈｉｆｔ_ｄｉｓｃａｒｄ」）は、「Ｂ」に設定されるように構成されていてもよい。
【００５２】
図５（ａ）に、バッファ管理部１２が、移動局ＵＥに対するＣＡが終了する場合に、上述の制御を行わなかった場合におけるレイヤ２バッファ内にバッファリングされている移動局ＵＥ宛ての下りリンクデータの量の推移について示す。
【００５３】
一方、図５（ｂ）に、バッファ管理部１２が、移動局ＵＥに対するＣＡが終了する場合に、上述の制御を行った場合（すなわち、所定データ量の移動局ＵＥ宛ての下りリンクデータを破棄し、所定期間が経過した後に、移動局ＵＥのバッファ破棄閾値を小さくした場合）におけるレイヤ２バッファ内にバッファリングされている移動局ＵＥ宛ての下りリンクデータの量の推移について示す。
【００５４】
図５（ａ）及び図５（ｂ）から分かるように、バッファ管理部１２が、移動局ＵＥに対するＣＡが終了する場合に、上述の制御を行った場合には、レイヤ２バッファ内にバッファリングされている移動局ＵＥ宛ての下りリンクデータの量が緩やかに減っている、すなわち、レイヤ２バッファ内にバッファリングされている移動局ＵＥ宛ての下りリンクデータの破棄が最小限しか行われていないことが分かる。
【００５５】
以下、図６を参照して、本実施形態に係る移動通信システムの動作について、具体的には、本実施形態に係る無線基地局ｅＮＢの動作について説明する。
【００５６】
図６に示すように、無線基地局ｅＮＢが、ステップＳ１０１において、移動局ＵＥがＣＡを行っている状態からＣＡを行っていない状態に遷移したと判断すると、本動作は、ステップＳ１０２に進む。
【００５７】
一方、無線基地局ｅＮＢが、ステップＳ１０１において、移動局ＵＥがＣＡを行っていない状態からＣＡを行っている状態に遷移したと判断すると、本動作は、ステップＳ１０３に進む。
【００５８】
ステップＳ１０２において、無線基地局ｅＮＢが、所定期間が経過したと判断した場合には、本動作は、ステップＳ１０３に進む。
【００５９】
ステップＳ１０３において、無線基地局ｅＮＢは、移動局ＵＥのバッファ破棄閾値を変更する。
【００６０】
（変更例１）
以下、変更例１に係る移動通信システムについて、上述の第１の実施形態に係る移動通信システムとの相違点に着目して説明する。
【００６１】
本変更例１に係る無線基地局ｅＮＢでは、バッファ管理部１２は、移動局ＵＥに対して設定されているＣＡにおいて用いられるＣＣの数（有効なＣＣの数）に基づいて、移動局ＵＥのバッファ破棄閾値を変更するように構成されている。
【００６２】
ここで、「移動局ＵＥに対して設定されているＣＡにおいて用いられるＣＣ（有効なＣＣ）」は、移動局ＵＥに対して追加されているＣＣであってもよいし、移動局ＵＥに対して追加されてアクティブ化されているＣＣであってもよい。
【００６３】
例えば、バッファ管理部１２は、移動局ＵＥに対して設定されているＣＡにおいて用いられるＣＣの数が増加される場合（例えば、２ＣＣから３ＣＣに増加される場合）に、移動局ＵＥのバッファ破棄閾値を大きくするように構成されていてもよい。
【００６４】
また、バッファ管理部１２は、移動局ＵＥに対して設定されているＣＡにおいて用いられるＣＣの数が減少される場合（例えば、３ＣＣから２ＣＣに減少される場合）に、所定データ量の移動局ＵＥ宛ての下りリンクデータを破棄し、所定期間が経過した後に、移動局ＵＥのバッファ破棄閾値を小さくするように構成されていてもよい。
【００６５】
さらに、かかるバッファ破棄閾値は、ＣＣごとのシステム帯域幅（例えば、５ＭＨｚ〜２０ＭＨｚ）を意識して設定されてもよい。例えば、ＣＣのシステム帯域幅がより大きい場合には、より高スループットを実現できる可能性があるため、バッファ破棄閾値を、より大きな閾値としてもよい。
【００６６】
（変更例２）
以下、変更例２に係る移動通信システムについて、上述の第１の実施形態に係る移動通信システムとの相違点に着目して説明する。
【００６７】
本変更例２に係る無線基地局ｅＮＢでは、バッファ管理部１２は、移動局ＵＥによって行われているＭＩＭＯ（Ｍｕｌｔｉｐｌｅ-Ｉｎｐｕｔ  ａｎｄ  Ｍｕｌｔｉｐｌｅ-Ｏｕｔｐｕｔ）において用いられるレイヤ（ｌａｙｅｒ）の数に基づいて、移動局ＵＥのバッファ破棄閾値を変更するように構成されている。
【００６８】
例えば、バッファ管理部１２は、移動局ＵＥによって行われているＭＩＭＯにおいて用いられるレイヤの数が増加される場合（例えば、２レイヤから４レイヤに増加される場合）に、移動局ＵＥのバッファ破棄閾値を大きくするように構成されていてもよい。
【００６９】
また、バッファ管理部１２は、移動局ＵＥによって行われているＭＩＭＯにおいて用いられるレイヤの数が減少される場合（例えば、４レイヤから２レイヤに減少される場合）に、所定データ量の移動局ＵＥ宛ての下りリンクデータを破棄し、所定期間が経過した後に、移動局ＵＥのバッファ破棄閾値を小さくするように構成されていてもよい。
【００７０】
（変更例３）
以下、変更例３に係る移動通信システムについて、上述の第１の実施形態に係る移動通信システムとの相違点に着目して説明する。
【００７１】
本変更例３に係る無線基地局ｅＮＢでは、バッファ管理部１２は、移動局ＵＥにおける無線品質に基づいて、移動局ＵＥのバッファ破棄閾値を変更するように構成されている。
【００７２】
例えば、バッファ管理部１２は、移動局ＵＥにおける無線品質が改善された場合に、移動局ＵＥのバッファ破棄閾値を大きくするように構成されていてもよい。
【００７３】
また、バッファ管理部１２は、移動局ＵＥにおける無線品質が劣化した場合に、所定データ量の移動局ＵＥ宛ての下りリンクデータを破棄し、所定期間が経過した後に、移動局ＵＥのバッファ破棄閾値を小さくするように構成されていてもよい。
【００７４】
以上に述べた本実施形態の特徴は、以下のように表現されていてもよい。
【００７５】
本実施形態の第１の特徴は、無線基地局ｅＮＢであって、移動局ＵＥのバッファ破棄閾値を管理するように構成されているバッファ管理部１２を具備しており、バッファ管理部１２は、バッファリングされている移動局ＵＥ宛ての下りリンクデータから、バッファ破棄閾値を超過したデータ量の移動局ＵＥ宛ての下りリンクデータを破棄するように構成されており、バッファ管理部１２は、移動局ＵＥに対してＣＡ（キャリアアグリゲーション）が設定されているか否かに基づいて、移動局ＵＥのバッファ破棄閾値を変更するように構成されていることを要旨とする。
【００７６】
かかる構成によれば、ＣＡをサポートする移動局ＵＥに対して、移動局ＵＥに対してＣＡが設定されているか否かに基づいて、適切なバッファ破棄閾値を設定することができる。
【００７７】
本実施形態の第１の特徴において、バッファ管理部１２は、移動局ＵＥに対するＣＡが開始される場合、移動局ＵＥのバッファ破棄閾値を大きくするように構成されていてもよい。
【００７８】
かかる構成によれば、移動局ＵＥに対するＣＡが開始される場合、移動局ＵＥのバッファ破棄閾値を単純に大きくするという簡単な制御で、かかる移動局ＵＥに対して適切なバッファ破棄閾値を設定することができる。
【００７９】
本実施形態の第１の特徴において、バッファ管理部１２は、移動局ＵＥに対するＣＡが終了する場合、所定データ量の移動局ＵＥ宛ての下りリンクデータを破棄し、所定期間が経過した後に、移動局ＵＥのバッファ破棄閾値を小さくするように構成されていてもよい。
【００８０】
かかる構成によれば、移動局ＵＥに対するＣＡが終了する場合、所定期間は、移動局ＵＥのバッファ破棄閾値を小さくしないため、コアネットワークで既に課金されている可能性の高い移動局ＵＥ宛ての下りリンクデータの破棄を最小限に留めることができる。
【００８１】
また、かかる構成によれば、移動局ＵＥに対するＣＡが終了する場合、移動局ＵＥ宛ての下りリンクデータのうち所定データ量の古いデータを破棄することで、ＴＣＰウィンドウを縮退させ、上位からの更なるデータの流入を回避することができる。
【００８２】
本実施形態の第１の特徴において、バッファ管理部１２は、かかる所定期間が経過する前に、移動局ＵＥに対するＣＡが再度開始される場合、移動局ＵＥのバッファ破棄閾値を小さくしないように構成されていてもよい。
【００８３】
かかる構成によれば、移動局ＵＥに対するＣＡが終了してから所定期間が経過する前に移動局ＵＥに対するＣＡが再度開始される場合には、移動局ＵＥのバッファ破棄閾値の変更に伴う処理を回避することができる。
【００８４】
本実施形態の第１の特徴において、所定データ量及び所定期間の少なくとも一方は、移動局ＵＥに対するＣＡが行われている場合の想定データレートと移動局ＵＥに対するＣＡが終了した後の想定データレートとの差分に基づいて設定されるように構成されていてもよい。
【００８５】
かかる構成によれば、所定データ量及び所定期間の値を調整することで、移動局ＵＥ宛ての下りリンクデータの破棄を回避するために、より適切な移動局ＵＥのバッファ破棄閾値の調整を行うことができる。
【００８６】
本実施形態の第２の特徴は、無線基地局ｅＮＢであって、移動局ＵＥのバッファ破棄閾値を管理するように構成されているバッファ管理部１２を具備しており、バッファ管理部１２は、バッファリングされている移動局ＵＥ宛ての下りリンクデータから、バッファ破棄閾値を超過したデータ量の移動局ＵＥ宛ての下りリンクデータを破棄するように構成されており、バッファ管理部１２は、移動局ＵＥに対して設定されているＣＡにおいて用いられるＣＣ（コンポーネントキャリア）の数が減少される場合に、所定データ量の移動局ＵＥ宛ての下りリンクデータを破棄し、所定期間が経過した後に、移動局ＵＥのバッファ破棄閾値を小さくするように構成されていることを要旨とする。
【００８７】
かかる構成によれば、ＣＡをサポートする移動局ＵＥに対して、移動局ＵＥに対して設定されているＣＡにおいて用いられるＣＣの数に基づいて、適切なバッファ破棄閾値を設定することができる。
【００８８】
本実施形態の第３の特徴は、無線基地局ｅＮＢであって、移動局ＵＥのバッファ破棄閾値を管理するように構成されているバッファ管理部１２を具備しており、バッファ管理部１２は、バッファリングされている移動局ＵＥ宛ての下りリンクデータから、バッファ破棄閾値を超過したデータ量の移動局ＵＥ宛ての下りリンクデータを破棄するように構成されており、バッファ管理部１２は、移動局ＵＥによって行われているＭＩＭＯにおいて用いられるレイヤの数が減少される場合に、所定データ量の移動局ＵＥ宛ての下りリンクデータを破棄し、所定期間が経過した後に、移動局ＵＥのバッファ破棄閾値を小さくするように構成されていることを要旨とする。
【００８９】
かかる構成によれば、移動局ＵＥに対して、移動局ＵＥによって行われているＭＩＭＯにおいて用いられるレイヤの数に基づいて、適切なバッファ破棄閾値を設定することができる。
【００９０】
本実施形態の第４の特徴は、無線基地局ｅＮＢであって、移動局ＵＥのバッファ破棄閾値を管理するように構成されているバッファ管理部１２を具備しており、バッファ管理部１２は、バッファリングされている移動局ＵＥ宛ての下りリンクデータから、バッファ破棄閾値を超過したデータ量の移動局ＵＥ宛ての下りリンクデータを破棄するように構成されており、バッファ管理部１２は、移動局ＵＥにおける無線品質が劣化した場合に、所定データ量の移動局ＵＥ宛ての下りリンクデータを破棄し、所定期間が経過した後に、移動局ＵＥのバッファ破棄閾値を小さくするように構成されていることを要旨とする。
【００９１】
かかる構成によれば、移動局ＵＥに対して、移動局ＵＥにおける無線品質に基づいて、適切なバッファ破棄閾値を設定することができる。
【００９２】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００９３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９６】
ｅＮＢ…無線基地局
ＵＥ…移動局
１１…ＣＡ管理部
１２…バッファ管理部
１３…タイマ管理部
１４…送信部
１５…受信部
【図１】
2014216908.tif 000003
【図２】
2014216908.tif 000004
【図３】
2014216908.tif 000005
【図４】
2014216908.tif 000006
【図５】
2014216908.tif 000007
【図６】
2014216908.tif 000008
【図７】
2014216908.tif 000009